(57)【特許請求の範囲】
【請求項１】
大項目、中項目、及び小項目毎に階層的に分類された設定項目を切り換えて表示するとともに、前記設定項目に従って運転指令データを設定するインバータ装置の設定表示装置において、
前記設定項目を選択するとともに、選択された設定項目に対応する運転指令データを設定する設定手段と、
前記設定手段によって選択された大項目、中項目、又は小項目の項目名の全体、若しくはその項目名の一部を、各項目の属する階層毎にそれぞれ異なる表示態様で表示する表示手段と、
を備え、
前記表示手段は、前記インバータ装置の運転状態データを１項目ずつ切り換えて表示するだけの表示スペースを有することを特徴とするインバータ装置の設定表示装置。
【請求項２】
前記表示手段では、大項目、中項目、又は小項目毎に、それぞれ異なる周期での点滅、あるいは連続点灯により表示することを特徴とする請求項１記載のインバータ装置の設定表示装置。
【請求項３】
前記表示手段では、大項目、中項目、又は小項目毎に、それぞれ異なる輝度で表示することを特徴とする請求項１記載のインバータ装置の設定表示装置。
【発明の詳細な説明】
【０００１】
【発明の属する技術分野】
この発明は、インバータ装置の設定表示装置に関し、特に、大項目、中項目、及び小項目毎に階層的に分類された設定項目を切り換えて表示するとともに、設定項目に従って運転指令データを設定するインバータ装置の設定表示装置に関する。
【０００２】
【従来の技術】
一般にインバータ装置は、インバータ運転状態（周波数、電流、電圧、及び回転数など）の設定パラメータを変更する等の操作を行う操作パネルと、可変速駆動制御される交流電動機等のモータ運転状況をモニタするための簡単なデータ表示器を備えている。従来のインバータ装置では、コストの関係から表示桁数の少ない、例えば１桁、あるいは少数桁分のデータ表示器しか備えていないので、モータの駆動速度、出力電流、出力電圧等の運転に関係する物理量を適宜に切り換えて表示するよう、データ種類が階層構造に分類されていた。
【０００３】
【発明が解決しようとする課題】
ところが、表示器に対する設定表示項目が多数になり、しかも大分類項目中に複数の中分類項目を設けるような階層構造でデータ項目が整理されるようになると、低価格のインバータ装置ではデータ表示器が３〜６桁１行の表示スペースしか備えていないために、操作に熟練していないものにとって、必要な設定項目を選択して、希望する表示項目を表示する操作が困難となる。
【０００４】
そこで、従来のインバータ装置では、表示画面上に階層化された項目を表示して、目的とする項目データを表示するための操作手順を示すようなメニュー方式が採用されている。しかし、メニュー方式では複数行の表示スペースがないと、表示器で項目一覧表が表示できないために、現在どこの階層の項目が表示されているか把握しにくい。
【０００５】
このように、従来のインバータ装置の設定表示装置は、操作性を高めるには表示装置のコストアップが避けられないという問題があった。
この発明の目的は、たとえ１行だけの表示スペースしかない場合であっても階層化された項目から、容易に必要項目を選択して表示することができるインバータ装置の設定表示装置を提供することにある。
【０００６】
【課題を解決するための手段】
上記目的を達成するために、大項目、中項目、及び小項目毎に階層的に分類された設定項目を切り換えて表示するとともに、前記設定項目に従って運転指令データを設定するインバータ装置の設定表示装置が提供される。このインバータ装置の設定表示装置は、前記設定項目を選択するとともに、選択された設定項目に対応する運転指令データを設定する設定手段と、前記設定手段によって選択された大項目、中項目、又は小項目の項目名の全体、若しくはその項目名の一部を、各項目の属する階層毎にそれぞれ異なる表示態様で表示する表示手段とから構成され、前記表示手段が、前記インバータ装置の運転状態データを１項目ずつ切り換えて表示するだけの表示スペースを有することを特徴とする。
【０００７】
この発明のインバータ装置の設定表示装置では、操作に熟練していない者にとって、設定項目の一覧表などが手元になくても設定表示内容がどの階層の項目表示であるか、容易に把握できる。
【０００８】
【発明の実施の形態】
以下、この発明の実施の形態について、図面を参照して説明する。
（第１の実施の形態）
図１は、この発明の設定表示装置の構成を示すブロック図である。
【０００９】
マイクロコンピュータ１は、図示しないインバータ装置から供給されてくる複数種類のモニタデータを処理するＣＰＵ１１、表示すべきデータを一時記憶するＲＡＭ１２、及び表示方式の実行アルゴリズムを実装したソフトウェアや、複数種類のモニタデータの種別、表示時間間隔などの表示態様を決定するパラメータを格納するＲＯＭ１３から構成されている。
【００１０】
データ表示器２は、インバータ装置からのモニタデータを各桁７セグメントで５桁のＬＥＤによって表示するデータ表示手段であって、インバータ装置の運転状態データを１項目ずつ切り換えて表示するだけの表示スペースを構成している。このデータ表示器２は、通常はインバータ装置と一体に配置され、マイクロコンピュータ１で処理されたモニタデータが、ＲＡＭ１２、ＲＯＭ１３に設定された表示項目ごとに表示されるとともに、階層化された項目を切り換えて表示して、目的とする項目データを表示するための操作手順を示すようにしている。
【００１１】
キースイッチ３は、データ表示、及びモード設定に使用される６つのタッチパネル式の操作キーを備えている。すなわち、ＰＲＧ／ＲＥＳＥＴキー３１は、データ表示器２をモニタモードからプログラムモードへ遷移させ、かつモニタモードへ復帰させるために使用される。ＦＵＮＣ／ＤＡＴＡキー３２は、データ種別を選択するモニタモードと、データライト（書き込み）を指令するための機能コードデータモードの切り換えに使用される。アップキー（△）３３は、データをインクリメントするために使用され、ダウンキー（▽）３４は、データをデクリメントするために使用される。ＲＵＮキー３５は、運転指令のためのキーであり、ＳＴＯＰキー３６は運転停止指令のためのキーである。
【００１２】
インバータ装置は、上述したキースイッチ３によってモニタモード、メニューモード、及び機能コードモードに切り換えられる。電源投入後、最初はモニタモードになって、インバータ装置で制御されるモータ速度等の物理量がモニタ表示される。ＦＵＮＣ／ＤＡＴＡキー３２を押すことにより、モニタ種別の変更が可能である。また、ＰＲＧ／ＲＥＳＥＴキー３１を押すことによって、メニューモードに切り換わる。メニューモードでは、データ表示器２において大項目、中項目、又は小項目の各項目名を、以下に説明するように項目が属する階層毎にそれぞれ異なる表示態様で、１項目ずつ表示することができる。
【００１３】
図２は、メニューモードで表示可能な設定項目について説明する図である。
メニューモードでは、図２の項目欄に示す６つの大項目からなるメインメニューと、その下のサブメニューとが、アップキー３３、ダウンキー３４によりサイクリックに切り換え表示される。
【００１４】
データ設定メニューを選択したときには、機能コード名称表示データの変更が可能となり、データ表示器２には「１．ｄＴＳ」のように、機能コード番号（１．）と名称（ｄＴＳ）とが表示される。
【００１５】
運転モニタメニューを選択したときは、運転状態サブメニューの表示が可能となり、データ表示器２には「２．ｏＰＭ」が表示される。運転状態サブメニューの項目には、出力周波数、出力電流、出力電圧などの運転状態データと設定周波数などの設定データとが含まれる。
【００１６】
Ｉ／Ｏチェックメニューを選択したときは、ＤＩＯ，ＡＩＯ状態サブメニューの表示が可能となり、データ表示器２には「３．ＩｏＣ」が表示される。
メンテナンスメニューを選択したときは、メンテナンス情報サブメニューの表示が可能となり、データ表示器２には「４．ＭｎＴ」が表示される。
【００１７】
アラーム情報メニューを選択したときは、アラーム情報サブメニューの表示が可能となり、データ表示器２には「５．ＡＬｉ」が表示される。
データコピーメニューを選択したときは、機能コードの複写が可能となり、データ表示器２には「６．ＣＰｙ」が表示される。
【００１８】
このメニュー方式は、大分類項目を６つに区分したメインメニューと、それぞれ６つの各項目の下で、さらに複数の中分類項目に区分したサブメニューとから構成されている。このため、従来では操作に熟練していない者は、データ表示器２の表示内容がどの階層の項目表示であるか、常に一覧表などを手元に置いて操作する必要が生じていた。
【００１９】
この発明では階層認識を容易にするために、大、中、小の三階層に分類されたデータ構造の階層毎にそれぞれ異なる表示態様で表示している。
図３には、連続点灯による通常のデータ表示からメニューモードに切り替わったときの、データ表示器２における表示態様を示している。
【００２０】
同図に示すように、大分類項目であるデータ設定の項目表示では長い周期、例えば１秒周期で点滅させ、中分類項目である運転モニタの項目表示では、例えば０．５秒周期といった短周期での点滅表示としている。また、ここでは目的とする最下位の運転モニタの各項目データを表示するときは、連続点灯となる。
【００２１】
このように、データ表示器２における表示態様が、点滅する周期の違いによって、互いに異なるように表示制御することで、表示されている分類項目データが大分類か中分類かのいずれの階層に属するかについて容易に判別することが可能になる。
【００２２】
なお、表示内容の視認性を高めるためには、点滅表示の際の消灯時間を、点滅周期にかかわらず１００ミリ秒以下に設定する必要がある。
（第２の実施の形態）
図４は、データ表示器２における別の表示態様を示す図である。
【００２３】
第一の実施形態のものと同様に、大、中、小の三階層に分類されたデータ構造の場合、大分類項目の表示では大きな輝度（例えば８０％）に制御され、中分類項目では中程度の輝度（５０％）で表示制御される。また、目的とする最下位の項目データは、輝度が最も高い表示（１００％）とする。
【００２４】
このように表示態様を項目の属する階層毎に異ならせることで、大項目が表示されているか、中項目が表示されているかの判別が容易になる。なお、表示色を異ならせることによって、同様の効果を奏することもできる。また、選択されている項目名の一部だけを、階層毎にそれぞれ異なる表示態様で表示するようにしてもよい。
【００２５】
【発明の効果】
以上に説明したように、この発明によれば、表示桁が１行だけであっても、階層毎にそれぞれ異なる表示態様で表示することにより、階層化された項目のどこが表示されているかを容易に判別でき、低コストで表示データの見やすいインバータ装置の設定表示装置を提供できる。
【図面の簡単な説明】
【図１】この発明の設定表示装置の構成を示すブロック図である。
【図２】メニューモードで表示される大分類項目の一例を示す図である。
【図３】この発明の設定表示装置における項目表示態様の一例を示す図である。
【図４】この発明の設定表示装置における別の表示態様を示す図である。
【符号の説明】
１…マイクロコンピュータ
２…データ表示器
３…キースイッチ
【図１】
0004857490.tif 000002
【図２】
0004857490.tif 000003
【図３】
0004857490.tif 000004
【図４】
0004857490.tif 000005